(57)【要約】 【課題】小型、低消費電力の高周波増幅器および予歪補償方法を提供する。【解決手段】ＤＰＤ２は、割り当てられた周波数帯域Ｂの内、帯域のＢ／３以上の帯域幅を有し、周波数帯域Ｂの中心周波数ｆｃの試験信号をＷＮＧｅｎ２１が白色雑音から生成してパワーアンプ８へ出力し、それを増幅したパワーアンプ８の信号出力と前記試験信号出力とを比較部２５とに入力して差分を求め、Ｃｏｎｔ２２がその差分パターンとデータベースＰＢに予め記憶蓄積していた差分パターンとを参照して、差分をなくす予歪信号をＰＧｅｎ２４から出力することにより、入力信号に合成器２３で入力信号に付加する予歪信号の校正を行う。【選択図】  図２
2010283779.tif 000002
【特許請求の範囲】
【請求項１】
試験信号で自己の歪み特性を測定して校正することにより、許容された最大周波数帯域の内の所定の周波数帯域で送信される入力信号に対して予歪補償をして増幅する高周波増幅器において、
入力信号と予歪信号とを合成した予歪補償信号を生成して増幅部へ出力する合成手段と、
前記合成部から入力する予歪補償信号を増幅して出力する増幅部と、
白色雑音を生成し、生成した白色雑音を前記最大周波数帯域の中心周波数で、かつ前記最大周波数帯域の以内の試験信号帯域の試験信号にして出力する試験信号出力手段と、
前記試験信号出力手段から入力する前記試験信号と前記試験信号が入力された前記増幅部の出力信号とを入力し、両入力の差分の情報を制御手段へ出力する比較手段と、
前記校正を行う場合、前記出力される試験信号を前記増幅部へ入力し、前記比較手段から入力される前記差分の情報と、差分をなくすための予歪信号を記憶したデータベースとを参照し、入力される前記差分をなくす予歪信号を出力する制御情報を前記予歪信号発生手段へ出力して校正する制御と、前記校正終了後、前記増幅部が前記合成部から前記予歪補償信号を入力する様に切り替える制御とを行う制御手段と、
前記制御情報を入力して前記予歪補償信号を生成するための前記予歪信号を前記合成手段へ出力する予歪信号発生手段とを
具備することを特徴とする高周波増幅器。
【請求項２】
前記試験信号出力手段は、
前記出力される白色雑音を入力し、前記最大周波数帯域の中心周波数で１／３以上の帯域に亘る平坦なピーク部を持つ前記試験信号にして出力するフィルタを備えることを特徴とする請求項１記載の高周波増幅器。
【請求項３】
前記フィルタは、
前記ピーク部の各肩部分から、前記最大周波数帯域の各境界許容周波数での許容出力限界まで緩やかに減衰させて前記試験信号にして出力することを特徴とする請求項２記載の高周波増幅器。
【請求項４】
許容された最大周波数帯域の内の所定の周波数帯域で送信するために、試験信号出力手段と、比較手段と、予歪信号発生手段と、制御手段と、合成手段と、増幅部とを備え、試験信号により自己の歪み特性を測定して校正し、送信される入力信号に対して予歪信号が合成された予歪補償信号を前記増幅部が増幅する高周波増幅器の予歪補償方法において、
前記試験信号出力手段は、生成する白色雑音を前記最大周波数帯域の中心周波数で、その１／３以上の帯域に亘る平坦なピーク部を持つ試験信号にして出力し、
前記比較手段は、前記試験信号出力手段から試験信号と、その試験信号を増幅した信号とを入力して両入力の差分の情報を前記制御手段へ出力し、
前記差分の情報が入力される前記制御手段は、
前記校正を行う場合、前記出力される試験信号を前記増幅部へ入力し、前記比較手段から入力される前記差分の情報と、差分をなくすための予歪信号を記憶したデータベースとを参照し、入力される前記差分をなくす予歪み信号を出力する制御情報を前記予歪信号発生手段へ出力して校正する制御と、前記校正終了後、前記増幅部が前記予歪補償信号を入力する様に切り替える制御とを行い、
前記予歪信号発生手段は、前記入力された制御情報に従って前記送信される入力信号と合成するための前記予歪信号を前記合成手段へ出力し、
前記予歪信号が入力される前記合成手段は、前記送信される入力信号と前記予歪信号とを合成して前記予歪補償信号を生成して前記増幅器へ向けて出力することを
特徴とする高周波増幅器の予歪補償方法。
【請求項５】
前記試験信号は、
前記ピーク部の各肩部分から、前記最大周波数帯域の各境界許容周波数での許容出力まで緩やかに減衰する
ことを特徴とする請求項４記載の高周波増幅器の予歪補償方法。
【発明の詳細な説明】
【技術分野】
【０００１】
本発明は、広帯域の高周波増幅器および予歪補償方法に関する。
【背景技術】
【０００２】
移動体通信やデジタル放送の無線電波の送信信号は、信号伝送帯域が広帯域化すると共にリニアリティの良い信号であることが要求され、様々な歪み補償方法が適用されている。特に、ベースバンド、またはＩＦ周波数でデジタル処理された無線信号を所要の無線周波数に再変換して送信する増幅器では、高周波増幅回路で発生する歪みを打ち消す信号成分を予め、入力信号に与えることにより歪みを補正するＤＰＤ（Ｄｉｇｉｔａｌ  Ｐｒｅ―Ｄｉｓｔｏｒｔｉｏｎ）が有効である。この方法では、歪みがどの様で有るかを調べるために校正する試験信号発生回路を備え、その試験信号を増幅した出力と基準信号とを比較しその差分を補償する方法が採られる。（例えば、特許文献１。）。
【０００３】
しかしながら、歪みの発生状況が、例えば増幅器の動作帯域が異なる場合、また、スイッチオン直後か、連続運用中かに依って起因する機器の温度条件等によって変化する。ＤＰＤは、この様な変化に対しても都度、校正動作を行えば歪みの変化を補正することが可能な利点があるが、校正信号発生回路が複雑化、大型化する問題が有った。
【０００４】
携帯電話基地局の様な大規模な装置では、問題ないが、密集地や、地下街など電波環境の悪い場所に導入される中継装置、リピータの様な小型の装置では校正信号発生回路を小型化、かつ少ない消費電力に済ませなければなら無い問題があった。
【先行技術文献】
【特許文献】
【０００５】
【特許文献１】特開２００４−２５３８３４号公報
【発明の概要】
【発明が解決しようとする課題】
【０００６】
従来のＤＰＤを用いる高周波増幅器では、校正信号発生回路が複雑化、大型化する問題が有った。
【０００７】
本発明は上記問題を解決するためになされたもので、小型、低消費電力の高周波増幅器および予歪補償方法を提供することを目的とする。
【課題を解決するための手段】
【０００８】
上記目的を達成するために、本発明の高周波増幅器は、試験信号で自己の歪み特性を測定して校正することにより、許容された最大周波数帯域の内の所定の周波数帯域で送信される入力信号に対して予歪補償をして増幅する高周波増幅器において、入力信号と予歪信号とを合成した予歪補償信号を生成して増幅部へ出力する合成手段と、前記合成手段から入力する予歪補償信号を増幅して出力する増幅部と、白色雑音を生成し、生成した白色雑音を前記最大周波数帯域の中心周波数で、かつ前記最大周波数帯域の以内の試験信号帯域の試験信号にして出力する試験信号出力手段と、前記試験信号出力手段から入力する前記試験信号と前記試験信号が入力された前記増幅部の出力信号とを入力し、両入力の差分の情報を制御手段へ出力する比較手段と、前記校正を行う場合、前記出力される試験信号を前記増幅部へ入力し、前記比較手段から入力される前記差分の情報と、差分をなくすための予歪信号を記憶したデータベースとを参照し、入力される前記差分をなくす予歪み信号を出力する制御情報を前記予歪信号発生手段へ出力して校正する制御と、前記校正終了後、前記増幅部が前記合成手段から前記予歪補償信号を入力する様に切り替える制御とを行う制御手段と、前記制御情報を入力して前記予歪補償信号を生成するための前記予歪信号を前記合成手段へ出力する予歪信号発生手段とを具備することを特徴とする。
【０００９】
また、本発明の高周波増幅器の予歪補償方法は、許容された最大周波数帯域の内の所定の周波数帯域で送信するために、試験信号出力手段と、比較手段と、予歪信号発生手段と、制御手段と、合成手段と、増幅部とを備え、試験信号により自己の歪み特性を測定して校正し、送信入力信号に対して予歪信号が合成された予歪補償信号を前記増幅部が増幅する高周波増幅器の予歪補償方法において、前記試験信号出力手段は、生成する白色雑音を前記最大周波数帯域の中心周波数で、その１／３以上の帯域に亘る平坦なピーク部を持つ試験信号にして出力し、前記比較手段は、前記試験信号出力手段から試験信号と、その試験信号を増幅した信号とを入力して両入力の差分の情報を前記制御手段へ出力し、前記差分の情報が入力される前記制御手段は、前記校正を行う場合、前記出力される試験信号を前記増幅部へ入力し、前記比較手段から入力される前記差分の情報と、差分をなくすための予歪信号を記憶したデータベースとを参照し、入力される前記差分をなくす予歪み信号を出力する制御情報を前記予歪信号発生手段へ出力して校正する制御と、前記校正終了後、前記増幅部が前記予歪補償信号を入力する様に切り替える制御とを行い、前記予歪信号発生手段は、前記入力された制御情報に従って前記入力信号と合成するための前記予歪信号を前記合成手段へ出力し、前記予歪信号が入力される前記合成手段は、前記送信入力信号と前記予歪信号とを合成することにより前記予歪補償信号を生成して前記増幅器へ向けて出力することを特徴とする。
【発明の効果】
【００１０】
本発明によれば、小型、低消費電力の高周波増幅器および予歪補償方法を提供することが出来る。
【図面の簡単な説明】
【００１１】
【図１】本発明の実施例に係わる高周波増幅器の動作を説明する機能ブロック図。
【図２】ＤＰＤの内部動作を説明する機能ブロック図。
【図３】携帯電話の１事業者毎のチャネル割当の概念図。
【図４】１事業者のチャネル割当と、本実施例における試験信号の帯域の関係を示す概念図。
【図５】理想的な試験信号に対する増幅器で発生する歪みの関係を説明するイメージ図
【図６】本発明の実施例における試験信号の周波数帯域を説明する図。
【図７】ＤＰＤの動作処理手順を説明する機能ブロック図。
【図８】ＤＰＤのＣｏｎｔが実施する制御手順のフローチャート。
【発明を実施するための形態】
【００１２】
以下、図面を参照して本発明の実施例を説明する。
【実施例】
【００１３】
図１は、本発明の実施例に係わる高周波増幅器の動作を説明する機能ブロック図である。
【００１４】
図１において、高周波増幅器Ｒは、送信する無線信号の入力信号を、Ｉ，Ｑチャネルに分離する前段回路１、デジタル予歪回路２（以下、ＤＰＤ２と略す。）、直交復調部（ＱＤＥＭ）３、デジタル・アナログ変換部４（以下、ＤＡＣと略す。）、ＬＰＦ５、変調器（以下、ＭＯＤと略す。）フィルタ７ａ、７ｂ、パワーアンプ８、カプラ９、終端部１０、アナログ・デジタル変換部１１（以下、ＡＤＣ１１と略す。）、アンプ１２、スイッチ１３と、アンテナ１４とを備える。
【００１５】
なお、図には示されていないが、ＤＡＣ４の出力後、ＡＤＣ１１の入力前には、アップコンバータ、ダウンコンバータが挿入されている構成で有っても良いが、ここでは、図面の複雑化を避けるために記載を省略している。
【００１６】
ここで高周波増幅器Ｒは、ＲＯＦ（Ｒａｄｉｏ  Ｏｖｅｒ  Ｆｉｂｅｒ）等により、図示されない携帯電話の基地局との間が接続され、同じく図示されない携帯電話端末との間を中継する中継局に使用される場合を例に動作説明を行う。基地局からのデジタル化された入力信号を、前段回路１がＩ，Ｑチャネルに分離しＤＰＤ２へ出力する。
【００１７】
ＤＰＤ２は、パワーアンプ８等で発生する歪みを予め補正する予歪補償回路であり、内部で補償量を設定するために、歪み量を測定するための試験信号発生回路と、その補償成分である予歪み発生機能と、これらの予歪み補償処理を制御する補償制御機能とを備えるものである。
【００１８】
本発明の実施例では、試験信号発生に送信電波と同様な変調試験信号（トレーニング信号）を用いる代わりに白色雑音から生成した試験信号を利用することにより回路の小型化と補償制御を容易にしている。ＤＰＤ２で予歪信号を付加された信号は、ＤＡＣ１１を経て不要な高域成分をＬＰＦ５で除去した後、ＭＯＤ６で所要の変調を行い、スプリアスをフィルタ７ａで除去し、カプラ９とスイッチ１３を経てアンテナ１４から送信される。
【００１９】
ＤＰＤ２は、高周波増幅器Ｒがスイッチオンした直後や、所定のコマンドが入力されると校正（キャリブレーション）を行う。キャリブレーションモードでは、入力信号の代わりにＤＰＤ２の内部で発生した白色雑音を増幅した試験信号がスイッチ１３によりアンテナへ出力される代わりに終端部１０へ切替入力されて消費される。
【００２０】
このキャリブレーション時にはカプラ９から一部の出力信号がＤＰＤ２へ入力され、白色雑音（試験信号）と差分をとり比較される。Ｉｃｈ、Ｑｃｈごとに想定する無歪み状態になるよう予歪み信号が調整される。
【００２１】
図２は、ＤＰＤ２の内部動作を説明する機能ブロック図である。  
図２において、ＤＰＤ２は、入力信号を前段回路１からのＩ、Ｑ各ｃｈ信号と、内部の試験信号とを切り替えるスイッチ２０、白色雑音から後述の所定の帯域の試験信号を生成して出力する白色雑音発生器（ＷＮＧｅｎ）２１、予歪信号を生成して出力する予歪信号発生器（ＰＧｅｎ）２４、ＰＧｅｎ２４を制御して予歪信号の制御を行い、また、校正を行う場合に信号を切り替えるスイッチ２０、スイッチ１３の制御、またキャリブレーションや予歪み処理手順の制御等を行う制御処理部（Ｃｏｎｔ）２２、Ｉｃｈ、Ｑｃｈそれぞれで一方の入力端子へ信号が入力され、他方の入力端子に予歪信号が入力されその両者を合成して予歪み補償信号を生成してＤＡＣ４へ出力する２つの合成器２３、カプラ９からの一部の出力信号がＱＤＥＭ３を経て一方のＩ、Ｑｃｈの組の入力端子へ入力され、他方のＩ、Ｑｃｈの組の入力端子へＷＮ Ｇｅｎ２１からの試験信号が入力され、その差分信号をＣｏｎｔ２２へ出力する比較部２５とを備えている。
【００２２】
合成器２３は、例えば、乗算器が使用される場合が多いが、結果的には、入力信号に対して予歪信号との加算、乗除等によるバイアス加算や、非直線的な入力対出力特性を持たせることにより後段の増幅器の歪み特性を打ち消す（補償する）予歪補償信号を出力する。
【００２３】
また、Ｃｏｎｔ２２は、内部に試験信号の入力と試験信号との差分に対応して、その差分をなくす予歪信号をＰＧｅｎ２４から出力するためのデータを記憶したデータベースＰＢを備えている。なお、比較部２５のＷＮ Ｇｅｎ２１からの試験信号の入力系統には、ＱＤＥＭ３からの信号とのタイミングを一致させるための遅延部（ＤＬ）２６が挿入されている。これらの各構成は、それぞれの間がバスライン等により接続され、上述の信号、情報が入出力される。
【００２４】
図３は、携帯電話の１事業者毎のチャネル割当の概念図。図４は、チャネル割当と、本実施例における試験信号の帯域の関係を説明する概念図である。  
図３において、１通信事業者は、帯域ＢＭＨｚで事業免許が与えられ、その対域内に更にそれぞれ、中心周波数ｆｃ１、ｆｃ２、ｆｃｎでｎ個、帯域ｂＭＨｚの複数のバンド（チャネル）で運用が行われている。帯域Ｂ０ＭＨｚは、隣接する他用途、又は、他事業者へのガードバンドを設けた場合の総帯域を意味する。帯域の広さはＢ≧Ｂ０が通常設定される。
【００２５】
携帯電話端末と基地局（又はリピータ）との間は、互いが対向する無線リンク毎に前述の複数のバンドから何れか１つが選択されて無線通信を行う。例えば、基地局側の送信器に使用される高周波増幅器は、帯域ＢＭＨｚ全域に亘って所定の歪特性以下で動作しなければならないので、起動時等に自己キャリブレーション（校正）を行い、予歪量の設定を行う。
【００２６】
キャリブレーション校正は、各バンドについて行うか、それとも全帯域に亘って一度に行うかの方法があり、前者で有れば帯域ｂを持った変調信号が、帯域Ｂ内の現在運用中のバンドで校正されるよう試験信号が出力され、後者で有れば帯域Ｂの試験信号（トレーニング信号）が使用される。
【００２７】
図４は、ｆｃ１を中心周波数とするバンドＰ１でのキャリブレーションを行った場合の歪み補正の概念を示している。この場合、バンドＰ１でキャリブレーションを行っても、ｆｃ２を中心周波数とするバンドＰ２で送信する場合に発生する歪成分ｄ２は、キャリブレーション範囲から外れているので十分な補償がなされない。その結果、適用可能な各バンド毎にキャリブレーションを行わなければならない。実際問題としては、各バンドでリンク設定の都度キャリブレーションを行えず、また、起動時に行うにしてもバンド切替制御が面倒になる、各バンド、又は、割当帯域境界の遮断特性を急峻にした高度なフィルタが必要になるので、キャリブレーション処理に要する回路規模が大きくなる。
【００２８】
ところが、ＲＯＦシステムに用いられるようなリピータでは、装置の小型化、低消費電力化が要求されているのでキャリブレーションも出来る限り小規模な回路で済ませなければならない。
【００２９】
本発明の実施例の高周波増幅器で用いるキャリブレーションでは、当該事業者に割当てられた帯域Ｂの１／３以上の帯域を持つ白色雑音成分による試験信号を用いることにより、１回のキャリブレーションで済ませ、回路構成を簡易、かつ制御を容易にしている。
【００３０】
言い換えれば、高周波増幅器は、中心周波数がｆｃ０であり、帯域幅Ｂの間の電波を送信する送信器なので、帯域Ｂでのキャリブレーションを簡便に済ませるに様にすればよい。
【００３１】
図５は、理想的な試験信号に対する増幅器で発生する歪みの関係を説明するイメージ図である。  
図５（ａ）は、高周波増幅器に入力する帯域Ｗの方形波状の入力信号波Ｓｏを示す。図５（ｂ）は、高周波増幅器から理想波形の信号が歪んで出力される出力信号波形Ｓｐのイメージ図、図５（ｃ）は、スペクトラムアナライザによる実測例である。高周波増幅器が十分な周波数帯域と無歪動作をすれば入出力波形は一致するが、そうで無い場合は歪成分が本来の信号出力の両側に現れる。
【００３２】
図５（ｂ）において、単一周波数のキャリヤ同士の相互歪、例えば３次、５次の歪みは歪み成分ｄの様に現れるが、白色雑音から作製された帯域Ｗの入力信号に対しては、点線で示されるような歪成分包絡線Ｅ、または、図５（ｃ）の包絡線の様な出力になる。
【００３３】
そこで、本発明の実施例の予歪み補償の為のキャリブレーションでは、帯域Ｂに亘る利得偏差情報や歪みを、試験信号（トレーニング信号）の帯域幅Ｗを帯域幅Ｂよりも狭くした１回のキャリブレーションを行うことにより推定する。
【００３４】
増幅器から試験信号帯域の約３倍程度までに補正すべき歪成分が出力すると考えれば、方形波状の試験信号（トレーニング信号）の帯域幅Ｗを帯域幅Ｂと同じにせず、１／３以上にすれば帯域Ｂに亘っての歪みを１回のキャリブレーションにより調べれば良いと考える。言い換えれば、３次歪までの歪み成分を扱うとしても試験信号のフラットな部分を割当帯域Ｂの１／３にとれば、歪み補正に関わる情報が取得出来ると考える。
【００３５】
本実施例は、割当られた周波数帯域の中心周波数で帯域Ｂの１／３以上の試験信号を高周波増幅器に入力し、それと高周波増幅器の出力信号と比較して、歪み発生量を測定し、予歪補正量を近似的に作製する。
【００３６】
図６は、本発明の実施例における試験信号の周波数帯域を説明する図である。
【００３７】
図６において、帯域Ｂの中心周波数は、ｆｃ０である。そして、Ｂ／３（Ｗ）は、試験信号の中央付近でのフラットな特性（例えば、１ｄＢ、３ｄＢ等所定の平坦特性）を有する試験信号の周波数帯域（以下、試験信号帯域と呼ぶ。）である。
【００３８】
試験信号の低域、高域（ｆＬ、ｆＵ）の両肩部の減衰特性は任意であるが、周波数境界（ｆｕｃ、ｆｌｃ）では、所定のスプリアスの上限値よりも低レベルに減衰するように試験信号のバンドパスフィルタが設定される。
【００３９】
次に試験信号の生成法について説明する。前述の理想的なカットオフ周波数特性の試験信号を用いれば、高周波増幅器の出力から、試験信号の帯域Ｗの試験信号帯域以外の周波数の歪成分が得られる。しかし、帯域外Ｗで有っても帯域Ｂ内での歪み成分を測定するためには、試験信号にこの帯域Ｗ外でも送信入力成分が有る方が歪成分も大きく現れ、校正が容易になる。
【００４０】
本来、フラットな領域を帯域Ｂに一致、もしくは近い範囲にしても良いが、この場合、ＷＮ  Ｇｅｎ２１の白色信号から試験信号を出力する試験信号出力フィルタの遮断特性が非常に急峻であることが要求され、デジタルフィルタと雖も高度な処理を行うことになるのでＷＮ  Ｇｅｎ２１が複雑化して好ましくない。
【００４１】
一方、Ｂ／３程度のフラット領域にし、ＷＮ  Ｇｅｎ２１のフィルタ（図示せず）は、試験信号の低域、高域ｆＬ、ｆＵから周波数境界ｆｕｃ、ｆｌｃに向けて緩やかな遮断特性、例えば、６ｄＢ／ｏｃｔの様な特性にする。こうすることにより、フィルタも簡易に済ませられるのみならず、試験信号として歪み測定のための送信成分を得ることが出来るようになる。
【００４２】
その結果、図６の傾斜部分を持つ試験信号が生成され帯域Ｂでの各バンドへの歪み補償に役立つ。比較部２５は、このＷＮ  Ｇｅｎ２１からの試験信号と、ＱＤＥＭ３を介して送信器出力とを比較して予歪を与えるための補償差分をＣｏｎｔ２２へ出力している。
【００４３】
繰り返しになるが、帯域をＢ／３にして校正を中心周波数ｆｃ０で済ませ、またフィルタを緩やかな特性にして試験信号を生成することにより、実運用のｆｃ１、又はｆｃｎの中心周波数のバンドに置き換えても影響を少なく抑えることを実現している。
【００４４】
また、予歪みは、ベースバンドで合成される方法では、Ｉｃｈ、Ｑｃｈでの信号に折り返し周波数でのイメージが発生するが上記の帯域で補正を行う事によりイメージ対策を図ることができる。
【００４５】
基地局に設置される高周波増幅器であれば終段のパワーアンプや、ＤＰＤ２の回路規模は多少大きくても支障がないが、ＲＯＦ等の中継用途の高周波増幅器は、低消費電力、小型化が命題である。ＲＯＦ等のリピータ用途では、帯域Ｂ内の中継運用バンドと同様に変調する試験信号で細かく校正すると、装置や処理手順が複雑化してしまうが、本実施例の試験信号発生を利用する予歪補償により、小規模な高周波増幅器で済ませることが可能になる。
【００４６】
図７は、ＤＰＤ２の動作処理手順を説明する為の機能ブロック図、図８は、ＤＰＤ２のＣｏｎｔ２２が実施する制御手順のフローチャートである。  
図２、図８において、Ｃｏｎｔ２２が電源投入に伴うイニシャル処理を開始し、校正モードになりＰＧｅｎ２４を停止、待機させ（ステップｓ１。）。スイッチ２０のｃａｌ接点を選択して、合成器２３へＷＮＧｅｎ２１からの試験信号を入力し、また図１のスイッチ１３を終端器１０に接続するように切り替え（ステップｓ２。）、続いてＷＮＧｅｎ２１を起動し試験信号を出力する（ステップｓ３。）。
【００４７】
ＷＮＧｅｎ２１は、白色雑音を発生するＮＧｅｎ２１ａ２とその出力が入力され、図６における中心周波数ｆｃ０で周波数帯域Ｂ／３の帯域を設定するＢＰＦ２１ｂとからなる。ＮＧｅｎ２１ａは、例えば、所定の段数のＰＮ系列のランダム符号発生器を用いた白色雑音発生器で、バンドパスフィルタ（ＢＰＦ）２１ｂは、デジタルフィルタで構成されるものがＣｏｎｔ２２により容易に多様な設定を実現できるので好ましい。ＢＰＦ２１は、先述の通り、図４の様にカットオフ周波数ｆＵ、ｆＬから６ｄＢ／ｏｃｔの様な緩やかな遮断特性を備えているがこの傾斜特性は、施一計条件に応じて適宜設定されるものである。
【００４８】
なお、ＮＧｅｎ２１ａは、ダイオードによる白色雑音発生器で、ＢＰＦ２１ｂは、受動素子によるアナログフィルタで生成した信号をデジタル変換して出力するものであっても良い。
【００４９】
比較部２５には、遅延部（ＤＬ）２６を介してＷＮＧｅｎ２１からの試験信号と、合成器２３、ＤＡＣ４等を経てパワーアンプ８で増幅された出力信号がカプラ９、ＡＤＣ１１等を経由したフィードバック信号とが入力される。ＤＬ２６は、比較部２５に入力するＷＮＧｅｎ２１からの試験信号とＡＤＣ１１を経由して入力されるフィードバック信号との入力タイミング、即ちフィードバック信号の遅延時間とが一致するように挿入される遅延手段である。
【００５０】
比較部２５は、ＷＮＧｅｎ２１からの試験信号とＡＤＣ１１からのフィードバック信号をＱＤＥＭ３で直交復調したＩｃｈ、Ｑｃｈ毎に差分出力を求めてＣｏｎｔ２２へ出力する（ステップｓ４。）。ここで、比較部２５は、例えば、内部のＦＦＴを有することにより、振幅、位相についての差分出力を周波数に対応して出力する。
【００５１】
Ｃｏｎｔ２２の図示されない内部メモリには、上記の様な差分の現れ方のパターンの周波数対位相ズレ、周波数対振幅の歪特性がデータベースＰＢ（ＬＵＴ：ルックアップ  テーブルと呼ばれることもある。）として記憶蓄積されている。
【００５２】
そして、その差分の現れ方のパターンのデータベースＰＢには、さらに各パターンについて、予め理想状態と測定比較、または理論的に解析されて、その差分を補償する予歪信号が識別番号等により対応付けられ記憶されている。
【００５３】
Ｃｏｎｔ２２は、データベースＰＢを参照し、データベースＰＢに記憶されたパターンから差分出力のパターンと相関性が高いものを抽出する（ステップｓ５。）。
【００５４】
Ｃｏｎｔ２２は、データベースＰＢから抽出されたパターンに対するこの差分を小さくする予歪信号の識別番号か、又はそのパターンに近い予歪信号の候補となる識別番号をバスラインＢを介してＩｃｈ、Ｑｃｈの各ＰＧｅｎ２４に出力する（ステップｓ６。）。
【００５５】
ＰＧｅｎ２４には、この予歪信号の識別番号に対応して出力する予歪信号のパターン、又は、予歪信号の生成データが図示されない内部メモリに記憶され、入力された制御信号に従って、予歪信号を合成器２３へ出力する（ステップｓ７。）。
【００５６】
Ｉｃｈ、Ｑｃｈの各合成器２３は、Ｉｃｈ、ＱｃｈのＰＧｅｎ２４からの予歪信号と、ＷＮ  Ｇｅｎ２１からの試験信号とをそれぞれ合成してＤＡＣ４を介してパワーアンプ８へ向けて出力し、（ステップｓ８。）校正モードから運用モードに切り替える。運用モードでは、スイッチ２０の接点がｏｐを選択し、スイッチ１３はアンテナ１４へ接続先が選択される（ステップｓ９）。
【００５７】
なお、運用モードへの切替えは、スイッチ接続先の選択後比較部２５が差分とデータベースＰＢとを参照し、不足分を補うように更に追加予歪みを与える差分が最小になった時点もしくは、所定の差分以下になった時点から行う様にしてもよい。そして、運用モードになると比較部２５は、動作を停止する。
【００５８】
一方、変形例として、上記ステップ８で運用モードになった場合、比較部２５を連続動作させ、入力信号と、送信信号とを比較して補償差分をＣｏｎｔ  ２２へ出力し、Ｃｏｎｔ  ２２は、運用モードにおける差分補償のデータベースＰＢ（ＬＵＴ）を参照して、ＰＧｅｎ  ２４に予歪信号を出力する一般的なフィードバック制御を行うようにしても良い。
【００５９】
ＤＰＤ２始め、高周波増幅器の構成の組合せ、処理手順は、上記の主旨を逸脱しない範囲で変更されて良い。
【００６０】
以上本発明の実施例による予歪補償では、複雑な歪み補正処理を行わないので、小型で低消費電力の高周波増幅器を提供することが出来る。
【符号の説明】
【００６１】
１  前段回路
２  デジタル予歪回路（ＤＰＤ）
２０  スイッチ
２１  白色雑音発生器（ＷＮＧｅｎ）
２２  制御処理部（Ｃｏｎｔ）
２３  合成器
２４  予歪信号発生器（ＰＧｅｎ）
２５  比較部
３  直交復調部（ＱＤＥＭ）
４  デジタル・アナログ変換部（ＤＡＣ）
５  ＬＰＦ
６  変調器（ＭＯＤ）
７ａ、７ｂ  フィルタ
８  パワーアンプ
９  カプラ
１０  終端部
１１  アナログ・デジタル変換部（ＡＤＣ）
１２  アンプ
１３  スイッチ
１４  アンテナ
ＰＢ  データベース
【図１】
2010283779.tif 000003
【図２】
2010283779.tif 000004
【図３】
2010283779.tif 000005
【図４】
2010283779.tif 000006
【図５】
2010283779.tif 000007
【図６】
2010283779.tif 000008
【図７】
2010283779.tif 000009
【図８】
2010283779.tif 000010